(57)【要約】【課題】  複数の間仕切り壁パネルを幅方向に並べて設置することで間仕切り壁を形成した場合であっても、高い遮音性能を発揮することができる、千鳥間柱間仕切り壁パネル及び千鳥間柱間仕切り壁の構造を提供する。【解決手段】  間仕切り壁パネル１，２は、少なくとも一方の最側部に備えられる間柱４が、いずれか一方の壁用面材３と非接触状態となるように備えられている。この千鳥間柱間仕切り壁パネル１，２が複数幅方向に並べられて設置され、隣り合う間仕切り壁パネル１，２の隣り合う両最側部の間柱４，４がそれぞれ、いずれか一方の壁用面材３と非接触状態となって備えられている。【選択図】      図１
2005105632.tif 000002
【特許請求の範囲】
【請求項１】
複数幅方向に並べられて間仕切り壁を形成する千鳥間柱の間仕切り壁パネルであって、
少なくとも一方の最側部に備えられる間柱が、いずれか一方の壁用面材と非接触状態となるように備えられていることを特徴とする千鳥間柱の間仕切り壁パネル。
【請求項２】
請求項１に記載の間仕切り壁パネルが複数幅方向に並べられて設置され、隣り合う間仕切り壁パネルの隣り合う両最側部の間柱がそれぞれ、いずれか一方の壁用面材と非接触状態となって備えられていることを特徴とする千鳥間柱の間仕切り壁の構造。
【発明の詳細な説明】
【技術分野】
【０００１】
本発明は、千鳥間柱の間仕切り壁パネル及び同間仕切り壁の構造に関する。
【背景技術】
【０００２】
図３（イ）に示すように、複数本の間柱５１，５１が千鳥に配置されて備えられた複数の間仕切り壁パネル５２，５２を幅方向に並べて設置し、図３（ロ）に示すように、これら間仕切り壁パネル５２，５２の表裏両面に石膏ボードなどの壁面材５３，５３を取り付け、各間柱５１…がいずれか一方の壁用面材５３に下地となって接合され、もう一方の壁用面材５３とは非接触状態となるようにして、壁の遮音性を高めるようにした千鳥間柱の遮音間仕切り壁５４は、従来より提供されている。
【０００３】
ところで、本発明者は、調査研究を重ねていくうち、間柱を千鳥に配置した間仕切り壁パネルを用いて間仕切り壁を形成した場合であっても、上記のように、複数の間仕切り壁パネル５２，５２を幅方向に複数並べて設置して間仕切り壁５４を形成した場合には、必ずしも満足いく遮音性能を得られないことに気付いた。
【０００４】
そこで、その原因を究明したところ、次のような事実が明らかとなった。即ち、従来の間仕切り壁５４では、これを構成する間仕切り壁パネル５２，５２の両最側部に備えられている間柱５５，５５が千鳥の偏心状態にはされていなかった。そのため、上記のように、複数の間仕切り壁パネル５２，５２を幅方向に並べて間仕切り壁５４を形成すると、図３（ハ）（ニ）に示すように、隣り合う間仕切り壁パネル５２，５２の隣り合う最側部の間柱５５，５５がいずれも表裏の両壁用面材５３，５３と接触してしまい、それが原因で、この部分を通じて音などの振動が一方の室からもう一方へと伝わり、それが原因で遮音性能が損なわれていたのであった。
【発明の開示】
【発明が解決しようとする課題】
【０００５】
本発明は、上記のような解明に基づいてなされたものであって、複数の間仕切り壁パネルを幅方向に並べて設置することで間仕切り壁を形成した場合であっても、高い遮音性能を発揮することができる、千鳥間柱間仕切り壁パネル及び千鳥間柱間仕切り壁の構造を提供することを課題とする。
【課題を解決するための手段】
【０００６】
上記の課題は、複数幅方向に並べられて間仕切り壁を形成する千鳥間柱の間仕切り壁パネルであって、
少なくとも一方の最側部に備えられる間柱が、いずれか一方の壁用面材と非接触状態となるように備えられていることを特徴とする千鳥間柱の間仕切り壁パネルによって解決される。
【０００７】
この間仕切り壁パネルでは、少なくとも一方の最側部に備えられる間柱が、いずれか一方の壁用面材と非接触状態となるように備えられているので、この間柱が備えられている側にもう一つの間仕切り壁パネルを設置して間仕切り壁を形成することで、この最側部間柱を通じて、音などの振動が一方の室からもう一方の室に伝わることがなくなり、それによって、間仕切り壁の遮音性能を向上することができる。
【０００８】
なお、この発明の間仕切り壁パネルは、一方の最側部に備えられる間柱がいずれか一方の壁用面材と非接触状態となるように備えられ、もう一方の最側部に備えられる間柱が両方の壁用面材と接触状態となるように備えられている間仕切り壁パネルと、両方の最側部に備えられる間柱がいずれもいずれか一方の壁用面材と非接触状態となるように備えられている間仕切り壁パネルとを含むものであるが、前者の間仕切り壁パネルは端部用を想定しており、後者の間仕切り壁パネルは中間部用を想定している。
【０００９】
しかし、前者の間仕切り壁パネルを中間部用とする場合であっても、両最側部の間柱がいずれも両方の壁用面材と接触するような従来の間仕切り壁パネルに比べて遮音性を向上することができるのであり、そのような中間部用間仕切り壁パネルも本発明の間仕切り壁パネルの範囲に含む。
【００１０】
更に、後者の間仕切り壁パネルを端部用とする場合であっても、隣り合う間仕切り壁パネル間において振動の伝播を抑制することができるのであり、そのような端部用間仕切り壁パネルも本発明の間仕切り壁パネルの範囲に含む。
【００１１】
また、上記の課題は、上記の間仕切り壁パネルが複数幅方向に並べられて設置され、隣り合う間仕切り壁パネルの隣り合う両最側部の間柱がそれぞれ、いずれか一方の壁用面材と非接触状態となって備えられていることを特徴とする千鳥間柱の間仕切り壁の構造によって最も効果的に解決される。
【００１２】
即ち、この構造では、隣り合う間仕切り壁パネル間を通じた音等の振動の伝播が効果的に遮断され、複数の間仕切り壁パネルを幅方向に並べて設置することで間仕切り壁を形成する場合であるにもかかわらず、高い遮音性能を発揮することができる。
【発明の効果】
【００１３】
本発明は、以上のとおりのものであるから、複数の間仕切り壁パネルを幅方向に並べて設置することで間仕切り壁を形成した場合であっても、高い遮音性能を発揮することができる。
【発明を実施するための最良の形態】
【００１４】
次に、本発明の実施最良形態を図面に基づいて説明する。
【００１５】
図１及び図２に示す実施形態において、１は端部用間仕切り壁パネル、２は中間部用間仕切り壁パネル、３，３は石膏ボードなどからなる壁用面材である。
【００１６】
端部用間仕切り壁パネル１は、左右の最側部の間柱４，５と上下の横材６，６とからなる方形環状のパネルで、一方の間柱４が、一方の壁用面材３の下地となって該面材３と接触し、もう一方の壁用面材３とは非接触となるように千鳥偏心状態に備えられ、こちらの側が、間仕切り壁９を形成する隣り合う他の間仕切り壁パネル２の側に向けられて設置されることになる。また、もう一方の間柱５は、両方の壁用面材３，３の下地となってこれら面材３，３と接触するように非千鳥状態に備えられ、こちらの側が、間仕切り壁９を形成しない他の壁などの側に向けられて設置されることになる。
【００１７】
中間部用の間仕切り壁パネル２は、左右の最側部の間柱４，４と、上下の横材６，６と、最側部間柱４，４間に備えられた中間の間柱７，７とからなる同じく方形環状のパネルで、左右の最側部の間柱４，４は、いずれも一方の壁用面材３の下地となって該面材３と接触し、もう一方の壁用面材３とは非接触となるように千鳥偏心状態に備えられ、もちろん、中間の間柱７，７についても同様の千鳥偏心状態に備えられている。
【００１８】
上記の間仕切り壁パネル１，２は、例えば、図１（イ）に示すように、二つの端部用間仕切り壁パネル１，１が、その最側部の非千鳥状態の間柱５，５を他の壁１０等と隣接するように設置されると共に、これら端部用間仕切り壁パネル１，１間に中間部用の間仕切り壁パネル２が設置され、そして、図１（ロ）に示すように、両側に壁用面材３，３が取り付けられることで、間仕切り壁９を形成する。
【００１９】
この間仕切り壁９では、隣り合う間仕切り壁パネル１，２間及び２，１間においてそれぞれ、各間仕切り壁パネル１，２、２，１の隣り合う最側部の間柱４，４がいずれも一方の壁用面材３と非接触状態となっており、そのため、それらの部分を通じた音等の振動の伝播が遮断され、複数の間仕切り壁パネル１，２，１を幅方向に並べて設置することで間仕切り壁９を形成したものであるにもかかわらず、高い遮音性能が発揮される。
【図面の簡単な説明】
【００２０】
【図１】図（イ）は実施形態の間仕切り壁パネルの設置状態を示す断面平面図、図（ロ）は該間仕切り壁パネルを用いて形成された間仕切り壁の断面平面図である。
【図２】間仕切り壁を構成する各間仕切り壁パネルを分離状態にして示す斜視図である。
【図３】背景技術を示すもので、図（イ）は間仕切り壁パネルの設置状態を示す断面平面図、図（ロ）は該間仕切り壁パネルを用いて形成された間仕切り壁の断面平面図、図（ハ）（ニ）はそれぞれ要部拡大断面平面図である。
【符号の説明】
【００２１】
１…端部間仕切り壁パネル（間仕切り壁パネル）
２…中間部用間仕切り壁パネル（間仕切り壁パネル）
３…壁用面材
４…最側部の間柱（千鳥間柱）
７…中間の間柱（千鳥間柱）
９…間仕切り壁
【図１】
2005105632.tif 000003
【図２】
2005105632.tif 000004
【図３】
2005105632.tif 000005